【事件の表示】
　特許第３３４８１３８号「光走査装置」の請求項１ないし３に係る特許に対する特許異議の申立てについて、次のとおり決定する。
【結　論】
　訂正を認める。
　特許第３３４８１３８号の請求項１ないし２に係る特許を維持する。
【理　由】
１．手続の経緯
　特許第３３４８１３８号の請求項１〜３に係る発明は、平成８年２月２１日に特許出願され、平成１４年９月６日にその発明について特許権の設定登録がなされ、その後、その特許について、特許異議申立人岡林茂により特許異議の申立てがなされ、取消しの理由が通知され、その指定期間内である平成１６年６月１５日に意見書が提出された後、再度取消しの理由が通知され、その指定期間内である平成１６年９月２１日に訂正請求がなされたものである。
　
２．訂正の適否についての判断
（１）訂正の内容
　特許権者が求めている訂正の内容は以下ａ、ｂのとおりである。
ア．訂正事項ａ
　特許請求の範囲の請求項１について、「支持部と、を備えることを特徴とする光走査装置。」を「支持部と、を備え、前記保持部を取り付けたミラーの重心が前記円柱部の中心軸の鉛直真下に位置することにより、前記ミラーが固定されないときには前記ミラーが傾いた状態で静止し、前記ミラーは、前記光を所定の方向に反射するように前記傾いた状態で前記円柱部が前記支持部に接着固定されることにより取付角度が定められて固定されることを特徴とする光走査装置。」と訂正する。
イ．訂正事項ｂ
　特許請求の範囲の請求項２について、「弾性部材を備え、前記保持部が有する円柱部が前記支持部に接着固定されることにより前記ミラーの取付角度が定められていることを特徴とする」を「弾性部材を備えることを特徴とする」と訂正する。
ウ．訂正事項ｃ
　特許請求の範囲の請求項３を削除する。
　
（２）訂正の目的の適否、新規事項の有無、及び特許請求の範囲の拡張・変更の存否
　上記訂正事項ａは、訂正前の請求項１の「ミラー」を限定したものであり、特許明細書の【００３５】、【００３８】等の記載からみて、特許明細書に記載された事項の範囲内において、構成を限定したものといえるから、特許請求の範囲の減縮を目的とした明細書の訂正に該当するものであって、新規事項の追加に該当せず、また、実質上特許請求の範囲を拡張し、又は変更するものではない。
　また、上記訂正事項ｂは、請求項１が訂正されたことに伴い、請求項２を訂正された請求項１の記載と整合させるものであり、明瞭でない記載の釈明を目的とする明細書の訂正に該当すると認められ、新規事項の追加に該当せず、また、実質上特許請求の範囲を拡張し、又は変更するものではない。
　また、上記訂正事項ｃは、特許請求の範囲の減縮を目的とした明細書の訂正に該当するものであって、新規事項の追加に該当せず、また、実質上特許請求の範囲を拡張し、又は変更するものではない。
（３）むすび
　以上のとおりであるから、上記訂正は、平成１１年改正前の特許法第１２０条の４第２項及び同条第３項において準用する特許法第１２６条第２項から第４項の規定に適合するので、当該訂正を認める。
　
３．特許異議の申立てについて
（１）申立て理由の概要
　特許異議申立人岡林茂は、特許第３３４８１３８号の請求項１〜３に係る発明についての特許に対して、証拠として甲第１号証を提出し、本件の請求項１〜３に係る発明の特許は特許法第２９条第２項の規定に違反してなされたものであり、本件の請求項１〜３に係る発明についての特許を取り消すべき旨主張している。
（２）本件発明
　特許第３３４８１３８号の請求項１、２に係る発明（以下、それぞれ「本件発明１」、「本件発明２」という。）は、平成１６年９月２１日付けの訂正明細書の特許請求の範囲の請求項１、２に記載された事項により特定される次のとおりのものである。
　請求項１
　  光源から出射される光を偏向して被照射面にその光を走査させる偏向部と、前記偏向部により偏向された前記光の光路を折り曲げるミラーとを備え、前記光を前記偏向部により偏向し、前記光路を前記ミラーにより折り曲げて前記被走査面に前記光を走査させる光走査装置において、一対の円柱部を有し、前記ミラーにおける前記光が反射される点を含む主走査方向に平行な直線と一対の前記円柱部の中心軸とが一致するように前記ミラーに取り付けられた保持部と、前記円柱部を回転自在に支持する支持部と、を備え、前記保持部を取り付けたミラーの重心が前記円柱部の中心軸の鉛直真下に位置することにより、前記ミラーが固定されないときには前記ミラーが傾いた状態で静止し、前記ミラーは、前記光を所定の方向に反射するように前記傾いた状態で前記円柱部が前記支持部に接着固定されることにより取付角度が定められて固定されることを特徴とする光走査装置。
　請求項２
　ミラーの取付角度を調整可能なように前記ミラーに取り付けられた保持部が有する円柱部を支持部に押し付ける弾性部材を備えることを特徴とする請求項１記載の光走査装置。
　
（２）刊行物記載の発明
　当審が通知した取消しの理由に引用された甲第１号証である刊行物（特開昭６３−６４０１４号公報（以下、「刊行物１」という。））には、「レーザービーム・プリンタ等に用いられるビーム反射部材、およびビーム反射部材の支持方法」（１頁左下欄下から２行〜同右下欄１行）であって、「反射部材は、レーザービーム等を反射する手段と、その反射手段を支持する手段とを備えた反射部材において、上記支持手段の断面形状の一部は円弧であり、該円弧の中心と反射手段における反射点とが一致する」（２頁左上欄下から６行〜末行、なお、「支持支持手段」は「支持手段」の誤記である）ビーム反射部材の発明が記載されている。
　
（３）本件発明１の特許について
　上記刊行物１に記載された発明（以下「刊行物１発明」という。）と、本件発明１とを対比すると、本件発明１の「保持部を取り付けたミラーの重心が前記円柱部の中心軸の鉛直真下に位置することにより、前記ミラーが固定されないときには前記ミラーが傾いた状態で静止し、前記ミラーは、前記光を所定の方向に反射するように前記傾いた状態で前記円柱部が前記支持部に接着固定されることにより取付角度が定められて固定される」点は刊行物１には記載も示唆もない。
　
　そして、本件発明１は、上記構成を有することにより、「保持部が支持部に固定されていないとき、ミラーが傾いた状態で静止するため、ミラーの取付角度の調整が容易になる」、「ミラーの取付角度が変化するのを防止できるため、ミラーの取付角度を最適な位置で保つことができる」という明細書記載の特有の効果を奏するものと認められる。
　
　したがって、本件発明１は、刊行物１に記載された発明に基づいて当業者が容易に発明することができたものとはいえない。
　
　（４）本件発明２の特許について
　本件発明２は、本件発明１を更に限定したものであるから、上記本件発明１についての判断と同様の理由により、上記刊行物１に記載された発明に基づいて当業者が容易に発明することができたものとはいえない。
　
４．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、結論のとおり決定する。
【異議決定日】
平成１６年１１月２日（２００４．１１．２）
【訂正の要旨】
審決（決定）の【理由】欄参照。
（５４）【発明の名称】
光走査装置
（５７）【特許請求の範囲】
　【請求項１】　光源から出射される光を偏向して被照射面にその光を走査させる偏向部と、前記偏向部により偏向された前記光の光路を折り曲げるミラーとを備え、前記光を前記偏向部により偏向し、前記光路を前記ミラーにより折り曲げて前記被走査面に前記光を走査させる光走査装置において、
　一対の円柱部を有し、前記ミラーにおける前記光が反射される点を含む主走査方向に平行な直線と一対の前記円柱部の中心軸とが一致するように前記ミラーに取り付けられた保持部と、
　前記円柱部を回転自在に支持する支持部と、
を備え
、前記保持部を取り付けたミラーの重心が前記円柱部の中心軸の鉛直真下に位置することにより、前記ミラーが固定されないときには前記ミラーが傾いた状態で静止し、前記ミラーは、前記光を所定の方向に反射するように前記傾いた状態で前記円柱部が前記支持部に接着固定されることにより取付角度が定められて固定される
　【請求項２】　ミラーの取付角度を調整可能なように前記ミラーに取り付けられた保持部が有する円柱部を支持部に押し付ける弾性部材を備え
る
【発明の詳細な説明】
　【０００１】
　【発明の属する技術分野】
　本発明は、光走査装置に関する。
　【０００２】
　【従来の技術】
　光走査装置には、電子写真方式の画像形成装置に用いられたものがある。この光走査装置は、半導体レーザから出射されたレーザ光をポリゴンミラーで偏向して感光体（被走査面）上に走査させ、感光体上に静電潜像を形成する。
　【０００３】
　このような光走査装置では、装置を小型化するために、ポリゴンミラーで偏向されたレーザ光の光路を折り曲げるミラーを備え、半導体レーザ及びポリゴンミラーを感光体に接近した位置に配置したものがある。
　【０００４】
　しかし、レーザ光の光路を折り曲げるミラーを備えた光走査装置では、ミラーの取付角度がずれると、感光体上でレーザ光を走査させる副走査方向の走査線位置がずれる。このとき、感光体上に形成される静電潜像の位置が副走査方向にずれるため、転写紙に転写される画像の位置がずれる。特に、カラー画像形成装置では、画像の位置がずれると、色を綺麗に重ねることができず、印字品質が劣化する。
　【０００５】
　また、副走査方向の走査線位置のずれを修正するため、ミラーの取付角度を調整する必要があるが、調整する際にレーザ光が反射される点がずれると、レーザ光の光路長が変化する。このとき、レーザ光の焦点位置が感光体上からずれ、感光体上に走査させるレーザ光の径が広がる。このため、レーザ光を照射する場所とレーザ光を照射しない場所との区別を明確にすることができず、鮮明な画像を得ることができない。
　【０００６】
　それに対して、副走査方向の走査線位置がずれたり、光路長が変化したりした際に、それらを修正することができる画像形成装置が考えられ、特開平１−１４２６８１号公報に記載されている。この画像形成装置は、副走査方向の走査線位置のずれや光路長の変化を検出するためのレジストマークを感光体上に形成し、そのレジストマークを搬送ベルトに転写する。そして、搬送ベルトに転写されたレジストマークから副走査方向の走査線位置のずれや光路長の変化に関する情報を読み取り、読み取られた情報に基づきアクチュエータを駆動させてレーザ光の光路に対するミラーの取付位置を調整することにより、副走査方向の走査線位置のずれや光路長の変化を修正している。
　【０００７】
　【発明が解決しようとする課題】
　ところが、特開平１−１４２６８１号公報に記載されている光走査装置では、高価なアクチュエータや検出素子を備える必要があるため、小型化が困難であるという問題がある。また、搬送ベルトに転写されたレジストローラから走査線位置のずれや光路長の変化に関する情報を読み取り、読み取られた情報に基づきレーザ光の光路に対するミラーの取付位置を調整するため、制御が煩雑であるという問題がある。
　【０００８】
　【課題を解決するための手段】
　請求項１記載の発明は、光源から出射される光を偏向して被走査面にその光を走査させる偏向部と、前記偏向部により偏向された前記光の光路を折り曲げるミラーとを備え、前記光を前記偏向部により偏向し、前記光路を前記ミラーにより折り曲げて前記被走査面に前記光を走査させる光走査装置において、一対の円柱部を有し、前記ミラーにおける前記光が反射される点を含む主走査方向に平行な直線と一対の前記円柱部の中心軸とが一致するように前記ミラーに取り付けられた保持部と、前記円柱部を回転自在に支持する支持部とを備え
、前記保持部を取り付けたミラーの重心が前記円柱部の中心軸の鉛直真下に位置することにより、前記ミラーが固定されないときには前記ミラーが傾いた状態で静止し、前記ミラーは、前記光を所定の方向に反射するように前記傾いた状態で前記円柱部が前記支持部に接着固定されることにより取付角度が定められて固定される。
　【０００９】
　請求項２記載の発明は、請求項１記載の光走査装置において、ミラーの取付角度を調整可能なように前記ミラーに取り付けられた保持部が有する円柱部を支持部に押し付ける弾性部材を備
える
　【００１０】
　
請求項１、２記載の発明によれば、
　【００１１】
　【発明の実施の形態】
　本発明の実施の一形態の光走査装置を図１ないし図６に基づいて説明する。本実施の形態の光走査装置を適用した画像形成装置を図６に示す。まず、画像形成装置１について説明する。この画像形成装置１は、転写紙２にカラー画像を形成するカラー画像形成装置である。
　【００１２】
　この画像形成装置１には、中央に前記転写紙２を搬送する搬送ベルト３が配置されている。前記搬送ベルト３の上面側には、イエロー（Ｙ）、マゼンタ（Ｍ）、シアン（Ｃ）、ブラック（Ｂ）の各色の画像を形成して前記転写紙２に転写する画像形成部４Ｙ，４Ｍ，４Ｃ，４Ｂが前記転写紙２の搬送方向に沿って等間隔に順次配置されている。前記画像形成部４Ｙ，４Ｍ，４Ｃ，４Ｂのそれぞれには、感光体５Ｙ，５Ｍ，５Ｃ，５Ｂが回転自在に設けられている。前記画像形成部４Ｙ，４Ｍ，４Ｃ，４Ｂの上方には、前記感光体５Ｙ，５Ｍ，５Ｃ，５Ｂを露光して静電潜像を形成する光走査部６Ｙ，６Ｍ，６Ｃ，６Ｂが配置されている。
　【００１３】
　前記搬送ベルト３の下方には、前記転写紙２を給紙する給紙部７が配置されている。前記搬送ベルト３よりも前記転写紙２の搬送方向の下流側には、前記転写紙２に転写された画像を定着させる定着部８と、この定着部により画像が定着された前記転写紙２を排紙する排紙部９とが順に配置されている。
　【００１４】
　前記画像形成部４Ｙ，４Ｍ，４Ｃ，４Ｂは、電子写真プロセスにより各色に応じた画像を形成する。イエローの画像を形成して前記転写紙２に転写するイエロー用の前記画像形成部４Ｙには、前記感光体５Ｙが回転自在に設けられている。前記感光体５Ｙの周囲には、前記感光体５Ｙを一様に帯電する帯電器１０Ｙと、前記光走査部６により形成された静電潜像を現像する現像器１１Ｙと、現像された画像を前記転写紙２に転写させる転写ローラ１２Ｙと、前記感光体５Ｙをクリーニングするクリーニング器１３Ｙと、前記感光体５Ｙを除電する除電器１４Ｙとが配置されている。他の前記画像形成部４Ｍ，４Ｃ，４Ｂの構成は、イエロー用の前記画像形成部４Ｙの構成と同様である。よって、前記画像形成部４Ｍ，４Ｃ，４Ｂについては、その説明を省略する。
　【００１５】
　前記搬送ベルト３は、駆動ローラ１５と従動ローラ１６とに掛け渡されたエンドレスベルトである。前記搬送ベルト３は、前記感光体５Ｙ，５Ｍ，５Ｃ，５Ｂと前記転写ローラ１２Ｙ，１２Ｍ，１２Ｃ，１２Ｂとの間を通るように配置されている。前記搬送ベルト３に当接する位置には、この搬送ベルト１３に所定の張力を加えるテンションローラ１７が配置されている。前記駆動ローラ１５には、図示しないモータが連結されている。前記駆動ローラ１５は、前記モータにより回転して前記搬送ベルト３を所定の速度で前記感光体５Ｙ，５Ｍ，５Ｃ，５Ｂに沿って移動させる。前記従動ローラ１６の上方には、前記搬送ベルト３上で前記転写紙２がずれないように前記転写紙２を前記搬送ベルト３に静電吸着させる吸着部１８が配置されている。
　【００１６】
　前記給紙部７には、前記転写紙２を積載する給紙カセット１９が設けられている。前記給紙カセット１９の上方には、前記転写紙２を一枚ずつ給紙する給紙ローラ２０が配置されている。前記給紙部７には、前記給紙カセット１９から給紙された前記転写紙２が前記搬送ベルト３の上面側へ搬送される搬送経路２１が形成されている。前記搬送経路２１には、前記転写紙２を搬送する搬送ローラ２２が配置されている。前記搬送経路２１には、前記感光体５Ｙ，５Ｍ，５Ｃ，５Ｂの回転に同期させて前記転写紙２を前記搬送ベルト３へ搬送するレジストローラ２３が配置されている。
　【００１７】
　前記定着部８には、前記転写紙２を加熱加圧して前記転写紙２に画像を定着させる定着ローラ２４が配置されている。
　【００１８】
　前記排紙部９には、前記定着部８により画像が定着された転写紙２を排紙する第一の排紙ローラ２５が配置されている。前記第一の排紙ローラ２５よりも前記転写紙２の搬送方向の下流側には、前記転写紙２が排紙される第一及び第二の排紙トレイ２６，２７が設けられている。前記第一の排紙トレイ２６は、前記画像形成装置１本体の上部に形成されている。前記第二の排紙トレイ２７は、前記画像形成装置１本体の側面（図６中、左側）に形成されている。前記第一の排紙ローラ２５と前記第一の排紙トレイ２６との間には、前記転写紙２が搬送される排紙経路２８が形成されている。前記排紙経路２８には、前記転写紙２の搬送方向を切り替える切換爪２９と、前記転写紙２を排紙する第二の排紙ローラ３０とが配置されている。
　【００１９】
　従って、前記画像形成装置１では、図示しないスタートボタンが押されると、給紙ローラ２０及び搬送ローラ２２が回転し、給紙カセット１９に積載されている転写紙２が一枚ずつ分離されて給紙され、搬送経路２１に沿って搬送される。そして、感光体５Ｙ，５Ｍ，５Ｃ，５Ｂの回転に同期させてレジストローラ２３により転写紙２が搬送ベルト３へ搬送され、転写紙２が吸着部１８により搬送ベルト３に静電吸着されて搬送ベルト３と共に転写紙２が移動する。
　【００２０】
　このとき、イエロー、マゼンタ、シアン、ブラックの各色に応じた画像情報に基づいて光走査部６Ｙ，６Ｍ，６Ｃ，６Ｂにより各感光体５Ｙ，５Ｍ，５Ｃ，５Ｂが露光され、静電潜像が形成される。例えば、イエロー用の画像形成部４Ｙでは、感光体５Ｙが帯電器１０Ｙにより一様に帯電され、イエローの画像情報に基づいて光走査部６Ｙにより感光体５Ｙが露光され、感光体５Ｙ上に静電潜像が形成される。この静電潜像が現像器１１Ｙにより現像され、現像された画像が転写ローラ１２Ｙにより搬送ベルト３上の転写紙２に転写される。その後、感光体５Ｙは、クリーニング器１３Ｙによりクリーニングされ、除電器１４Ｙにより除電されて次の動作に備える。
　【００２１】
　他の画像形成部４Ｍ，４Ｃ，４Ｂにおいても、各色の画像情報に基づいて感光体５Ｍ，５Ｃ，５Ｂ上に形成される静電潜像が異なるだけで、前述のイエロー用の画像形成部４Ｙにおける動作と同様の動作が行われて各色の画像が形成され、搬送ベルト３と共に移動する転写紙２に順次転写される。よって、画像形成部４Ｍ，４Ｃ，４Ｂの動作については、その説明を省略する。
　【００２２】
　そして、各色の画像が転写された転写紙２は、半径の小さい駆動ローラ１５上で搬送ベルト３から分離され、定着部８へ搬送される。定着部８で転写紙２に転写された画像が定着され、転写紙２が第一又は第二の排紙トレイ２６，２７へ排紙される。
　【００２３】
　次に、イエロー用の前記画像形成部４Ｙに設けられている前記感光体５Ｙを露光してその感光体５Ｙに静電潜像を形成するイエロー用の前記光走査部６Ｙを図２及び図３に基づいて説明する。前記光走査部６Ｙは、イエローの画像情報に基づいて光源である半導体レーザ３１を駆動して半導体レーザ３１から所定のタイミングでレーザ光を出射させ、このレーザ光を偏向部３２により偏向して被走査面である前記感光体５Ｙ上にレーザ光を走査させる。
　【００２４】
　図３に示すように前記半導体レーザ３１と前記偏向部３２との間には、前記半導体レーザ３１から出射されたレーザ光の光路に沿ってコリメータレンズ３３と、スリット３４と、シリンダレンズ３５と、第一のミラー３６と、平凸レンズ３７とが配置されている。前記コリメータレンズ３３は、前記半導体レーザ３１から出射されたレーザ光を略平行光に変換する。前記スリット３４は、所定の幅のレーザ光のみを透過させる。前記シリンダレンズ３５は、副走査方向（図３中、紙面に垂直な方向）にのみパワーを有して副走査方向の集光を行う。前記平凸レンズ３７は、主走査方向（図３中、上下方向）の集光を行う。
　【００２５】
　前記偏向部３２には、前記平凸レンズ３７を透過したレーザ光を反射する反射面を有するポリゴンミラー３８が配置されている。前記ポリゴンミラー３８には、前記ポリゴンミラー３８を回転させ、前記反射面に入射するレーザ光の入射角を所定の範囲内で変化させるスキャナモータ３９が連結されている。
　【００２６】
　図２に示すように前記光走査部６Ｙには、前記偏向部３２により偏向されたレーザ光の光路を折り曲げる第二及び第三のミラー４０，４１と、この第三のミラー４１により反射されたレーザ光が透過する補正レンズ４２とが配置されている。前記補正レンズ４２は、入出射面共非球面であり、樹脂形成により作成され、主走査方向に長く形成されている。
　【００２７】
　また、前記光走査部６Ｙには、図示しないが画像情報に基づいて前記半導体レーザ３１を駆動する半導体レーザ駆動部が設けられている。
　【００２８】
　さらに、前記ポリゴンミラー３８の反射面は、副走査断面内において前記補正レンズ４２に関し、前記感光体５Ｙと共役な関係にあるように形成され、ポリゴンミラー３８の回転軸に対する各反射面毎の角度誤差、いわゆる面倒れの出ないように形成されている。
　【００２９】
　従って、光走査部６Ｙでは、イエロー用の画像情報に基づいて半導体レーザ３１が半導体レーザ駆動部により駆動されて所定のタイミングでレーザ光を出射する。半導体レーザ３１から出射されたレーザ光は、コリメータレンズ３３、スリット３４、シリンダレンズ３５、第一のミラー３６及び平凸レンズ３７を介してポリゴンミラー３８の反射面へ入射する。このとき、ポリゴンミラー３８がスキャナモータ３９により回転し、反射面に入射するレーザ光の入射角が所定の範囲内で変化して反射面で反射するレーザ光が偏向される。その後、第二及び第三のミラー４０，４１により反射されたレーザ光が補正レンズ４２を介して感光体上を走査する。
　【００３０】
　このとき、ポリゴンミラー３８の反射面の形状と、補正レンズの非球面形状との組合せにより、像面湾曲及びＦθ特性の補正が行われる。
　【００３１】
　他の前記光走査部６Ｍ，６Ｃ，６Ｂの構成及び動作は、各色の画像情報に基づいてレーザ光を出射させるタイミングが異なるだけで、イエロー用の前記光走査部６Ｙと同様である。よって、他の前記光走査部６Ｍ，６Ｃ，６Ｂについての説明は省略する。
　【００３２】
　前記第三のミラー４１を図１、図４及び図５に基づいて説明する。前記第三のミラー４１は支柱４３によって支持されている。前記第三のミラー４１の両端には、保持部４４が取り付けられている。前記保持部４４には、円柱部４５が形成されている。前記支柱４３の上端には、前記円柱部４５を支持する支持部であるＶ字溝４６が形成されている。前記支柱４３には、前記円柱部４５を前記Ｖ字溝４６に押し付ける弾性部材である板バネ４７が取り付けられている。
　【００３３】
　前記保持部４４は、図１に示すようにレーザ光が反射される点を含む主走査方向に平行な直線と前記円柱部４５の中心軸とが一致するように前記第三のミラー４１に接着されて固定されている。
　【００３４】
　前記円柱部４５の一端には、第三のミラー４１の取付角度を調整する際に既存の調整治具の爪により保持される治具受け部４８が形成されている。前記第三のミラー４１の両端には共通の保持部４４が取り付けられているため、レーザー光が所定の方向に反射されるように前記第三のミラー４１を傾けた場合に、前記第三のミラー４１の一方の端部側に形成された前記治具受け部４８が縦方向に長くなり、前記第三のミラー４１の他方の端部に形成された前記治具受け部４８が横方向に長くなる。従って、第三のミラー４１の取付角度を調整するときには、前記第三のミラー４１の一方の端部側に形成されて縦方向に長い前記治具受け部４８のみを使用する。
　【００３５】
　前記第三のミラー４１及び前記保持部４４は、レーザ光が所定の方向に反射されるように前記第三のミラー４１を傾けた場合に、前記保持部４４を取り付けた前記第三のミラー４１の重心が前記円柱部４５の中心軸の延長線の鉛直下方に位置するように形成されている。
　【００３６】
　前記板バネ４７には、この板バネ４７を前記支柱４３に係止する係止部４９が形成されている。前記係止部４９には、前記支柱４３側に突出する爪部５０が形成されている。
　【００３７】
　前記第三のミラー４１は、レーザー光が所定の方向に反射されるように取付角度が調整された状態で、円柱部４５が接着剤（図示せず）によりＶ字溝４６に接着されて固定されている。前記第三のミラー４１の取付角度を調整する方法は、既存の調整治具を用い、レーザ光が走査する副走査方向の位置を観察しながら、ミラーの取付角度を調整する方法である。前記接着剤には、嫌気性接着剤、瞬間接着剤又は光硬化性接着剤が使用されている。
　【００３８】
　このように、レーザ光が反射される点を含む主走査方向に平行な直線と円柱部４５の中心軸とが一致するように保持部４４を第三のミラーに取り付け、円柱部４５をＶ字溝４６で支持することにより、レーザー光が反射される点を含む主走査方向に平行な直線を中心軸として前記第三のミラー４１を回転させることができ、第三のミラー４１の取付角度を調整する際に第三のミラー４１でのレーザ光が反射される点がずれるのを防止できるため、光路長の変化が抑えられ、また、第三のミラーの取付角度を調整することができるため、副走査方向の走査線位置のずれが調整される。さらに、円柱部４５を板バネ４７でＶ字溝４６に押し付けることにより、第三のミラー４１の取付角度を調整する際に第三のミラー４１を傾けた状態で保持することができるため、第三のミラー４１の取付角度の調整作業が容易になる。また、保持部４４を取り付けた第三のミラー４１の重心が、第三のミラー４１が傾いた状態で円柱部４５の中心軸の延長線の鉛直下方に位置することにより、第三のミラー４１が固定されていないとき、第三のミラー４１が傾いた状態で静止するため、第三のミラーの取付角度の調整が容易になる。さらに、接着剤が硬化する間に重力により第三のミラー４１の取付角度が変化したり、接着剤が硬化する際に生じた余計な残留応力により第三のミラー４１の取付角度が変化するのを防止できるため、第三のミラー４１の取付角度が最適な角度で保たれる。
　【００３９】
　なお、本発明の実施の形態においては、第三のミラー４１に接触する部分を断面略Ｌ字型に形成した保持部４４について説明したが、第三のミラー４１に接触する部分の形状が断面略Ｌ字型に限定される訳ではなく、前記第三のミラー４１に接触する部分の形状としては、例えば、図７に示すように第三のミラーに合わせて円柱５１の一部に切欠き５２を形成したものでも良い。
　【００４０】
　また、本発明の実施の形態においては、支持部としてＶ字溝４６について説明したが、支持部がＶ字溝４６に限定される訳ではなく、また、支持部に当接する部分が円柱部４５である保持部４４について説明したが、保持部が円柱部４５を有するものに限定される訳でもない。支持部及び保持部の形状は、レーザー光が反射される点を含む主走査方向に平行な直線を中心軸として第三のミラー４１が傾くように第三のミラー４１を支持することができればどのような形状でも良い。例えば、支持部としてＵ字溝を形成しても良い。また、支持部として支柱４３に穴を形成しても良い。さらに、支持部として第三のミラー４１側に突出する円柱部を形成し、その円柱部に当接する下部開口のＶ字型やＵ字型の凹部を保持部に形成しても良い。また、支持部として円柱部を形成した場合には、その円柱部が嵌合する円筒状の凹部を保持部に形成しても良い。
　【００４１】
　さらに、本発明の実施の形態においては、第三のミラー４１の両端に個々に保持部４４を取り付けるようにしたが、円柱部４５の中心軸が同一直線上にあれば第三のミラー４１の両端に取り付ける保持部４４を一体に形成しても良い。
　【００４２】
　また、本発明の実施の形態においては、レーザー光が所定の方向に反射するように第三のミラー４１を傾けた際に、第三のミラー４１の一方の端部側に形成された治具受け部４８が縦方向に長くなるように形成された保持部４４について説明したが、レーザー光が所定の方向に反射するように第三のミラー４１を傾けた際に、第三のミラー４１の両端に取り付けた保持部４４の治具受け部４８が縦方向に長くなるように形成しても良い。
　【００４３】
　さらに、本発明の実施の形態においては、弾性部材として板バネ４７について説明したが、弾性部材が板バネ４７に限定される訳ではなく、弾性部材は、保持部を支持部に押し付けることができれば良い。
　【００４４】
　【発明の効果】
　請求項１記載の発明によれば、光が反射される点を含む主走査方向に平行な直線を中心軸としてミラーが傾く状態でミラーを保持部により保持すると共に、保持部を支持部により支持する。これにより、ミラーの取付角度を調整する際に光が反射される点がずれるのを防止できるため、光路長の変化を抑えることができる。また、ミラーの取付角度を調整できるため、副走査方向の走査線位置のずれを調整することができる。
　【００４５】
　請求項２記載の発明によれば、保持部を弾性部材で支持部に押し付けることにより、ミラーの取付角度を調整する際に、ミラーを傾けた状態で保持することができるため、ミラーの取付角度の調整作業が容易になる。また、ミラーの取付角度が変化するのを防止できるため、ミラーの取付角度を最適な位置で保つことができる。
　【００４６】
　
請求項１、２記載の
【図面の簡単な説明】
　【図１】
　本発明の実施の形態の光走査装置の一部を示す縦断正面図である。
　【図２】
　光走査装置を示す縦断正面図である。
　【図３】
　光走査装置を示す縦断側面図である。
　【図４】
　ミラーの支持構造を示す分解斜視図である。
　【図５】
　ミラーの支持構造を示す斜視図である。
　【図６】
　光走査装置を備えたカラー画像形成装置を示す縦断正面図である。
　【図７】
　保持部の変形例を示す斜視図である。
　【符号の説明】
　５Ｙ　　　被走査面
　５Ｍ　　　被走査面
　５Ｃ　　　被走査面
　５Ｂ　　　被走査面
　３１　　　光源
　３２　　　偏向部
　４１　　　ミラー
　４４　　　保持部
　４６　　　支持部
　４７　　　弾性部材